【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
複数の光源と、
前記複数の光源を同一の駆動周波数で駆動し、各光源の点灯期間及び消灯期間をパルス幅変調制御する制御手段と、
を備え、
前記制御手段は、光源毎及び駆動周期毎に、点灯期間と消灯期間のデューティ比を設定可能であり、
前記制御手段は、少なくとも２つの光源の各々について、１つの点灯期間及び１つの消灯期間から成る１サイクル期間が駆動周期のＮ倍（Ｎは１以上の整数）の条件を満たすようにデューティ比を設定し、Ｎが２以上の場合には、１サイクル期間を構成するＮ個の駆動周期のうち少なくとも１つの周期においてデューティ比を０又は１とすることを特徴とするバックライト装置。
【請求項２】
前記制御手段は、Ｎが２以上となる光源については、その光源の前記１サイクル期間を構成するＮ個の駆動周期のうち、最初からＭ個（０≦Ｍ≦Ｎ）の駆動周期をデューティ比１とし、それに続く点灯期間から始まる１個の駆動周期をデューティ比ｄ（０≦ｄ≦１）とし、それに続くＮ−Ｍ−１個の駆動周期をデューティ比０とするか、又は、最初からＮ−Ｍ−１個の駆動周期をデューティ比０とし、それに続く消灯期間から始まる１個の駆動周期をデューティ比ｄとし、それに続くＭ個の駆動周期をデューティ比１とする請求項１に記載のバックライト装置。
【請求項３】
前記制御手段は、Ｎが１となる光源について目標輝度とデューティ比との予め定められた関係を記憶手段から読み込むとともに、Ｎが２以上となる光源については、その光源の目標輝度に応じて前記関係に基づき定まるデューティ比Ｄ（０≦Ｄ≦１）とした場合に、（Ｍ＋ｄ）／Ｎ＝Ｄが成り立つように、Ｍ及びｄを決定する請求項２に記載のバックライト装置。
【請求項４】
前記制御手段は、Ｎが２以上となる光源の点灯期間の少なくとも一部の期間において、その光源より前記１サイクル期間が短い光源は消灯期間となるように、各光源のデューティ比を決定する請求項１〜３のいずれか１項に記載のバックライト装置。
【請求項５】
複数の光源の輝度を検出する検出手段を備え、
前記制御手段は、前記検出手段により前記複数の光源のうちいずれか１つの光源の輝度を検出する場合、輝度検出対象の光源についてＮを２以上とし、それ以外の光源の前記１サイクル期間を輝度検出対象の光源の前記１サイクル期間より短くするとともに、輝度検出対象の光源の点灯期間の少なくとも一部の期間においてそれ以外の光源は消灯期間となるように前記複数の光源のデューティ比を決定し、
前記検出手段は、輝度検出対象の光源が点灯期間となりそれ以外の光源が消灯期間となる期間において、輝度検出対象の光源の輝度の検出を行う請求項１〜４のいずれか１項に記載のバックライト装置。
【請求項６】
前記検出手段による検出結果に基づいて、輝度検出対象の光源の輝度を補正する補正手段を備える請求項５に記載のバックライト装置。
【請求項７】
前記駆動周波数は、前記複数の光源の前記１サイクル期間の逆数の最小公倍数である請求項１〜６のいずれか１項に記載のバックライト装置。
【請求項８】
請求項１〜７のいずれか１項に記載のバックライト装置と、
前記バックライト装置により照明される液晶パネルと、
を備える画像表示装置。
【請求項９】
前記バックライト装置は、複数の光源ブロックに分割され、各光源ブロックは同一のデューティ比で発光が制御される一又は複数の光源からなり、１つの光源ブロック内の光源は同一のデューティ比で発光が制御され、
前記画像表示装置は、前記液晶パネルの画像表示領域内の前記各光源ブロックに対応する領域毎に、表示画像が静止画像であるか動画像であるかを判定する判定手段を備え、
前記制御手段は、表示画像が動画像と判定された領域に対応する光源ブロックの光源の前記１サイクル期間を、表示画像が静止画像と判定された領域に対応する光源ブロックの光源の前記１サイクル期間よりも長くすることを特徴とする請求項８に記載の画像表示装置。
【請求項１０】
前記バックライト装置は、複数の光源ブロックに分割され、各光源ブロックは同一のデューティ比で発光が制御される一又は複数の光源からなり、
前記画像表示装置は、前記液晶パネルの画像表示領域内の前記各光源ブロックに対応する領域毎に、表示画像の動画像の動きの大きさを検出する検出手段を備え、
前記制御手段は、動きの大きさが所定の基準値より大きい領域に対応する光源ブロックの光源の前記１サイクル期間を、動きの大きさが基準値以下の領域に対応する光源ブロックの光源の前記１サイクル期間よりも長くすることを特徴とする請求項８に記載の画像表示装置。
【請求項１１】
同一の駆動周波数で駆動され、点灯期間及び消灯期間がパルス幅変調制御される複数の光源を有するバックライト装置の制御方法であって、
少なくとも２つの光源の各々について、１つの点灯期間及び１つの消灯期間から成る１サイクル期間が駆動周期のＮ倍（Ｎは１以上の整数）の条件を満たすようにデューティ比を設定し、Ｎが２以上の場合には、１サイクル期間を構成するＮ個の駆動周期のうち少なくとも１つの周期においてデューティ比を０又は１とする工程と、
光源毎及び駆動周期毎に前記決定されたデューティ比を設定する工程と、
を有するバックライト装置の制御方法。
【請求項１２】
複数の光源と、
前記複数の光源を同一の駆動周期で駆動し、各光源の点灯期間及び消灯期間をパルス幅
変調制御する制御手段と、
を備え、
前記制御手段は、各光源の前記駆動周期毎に、点灯期間と消灯期間を設定可能であり、
第１光源では、１つの点灯期間及び１つの消灯期間から成る１サイクル期間が前記駆動周期と同じになるようにし、
第２光源では、１つの点灯期間及び１つの消灯期間から成る１サイクル期間が前記駆動周期よりも長くなるようにする
ことを特徴とするバックライト装置。
【請求項１３】
前記第１光源は、静止画像が表示される領域に対応し、前記第２光源は、動画像が表示される領域に対応することを特徴とする請求項１２に記載のバックライト装置。
【請求項１４】
前記複数の光源のそれぞれについて、動画像が表示される領域か、静止画像が表示される領域かを判定する判定手段をさらに備えることを特徴とする請求項１３に記載のバックライト装置。
【請求項１５】
前記第２光源の１つの点灯期間及び１つの消灯期間から成る１サイクル期間は、前記駆動周期のＮ倍（Ｎは１以上の整数）であることを特徴とする請求項１２に記載のバックライト装置。
【請求項１６】
前記第２光源の１サイクル期間を構成するＮ個の駆動周期のうち少なくとも１つの周期において、点灯期間と消灯期間のデューティ比を０又は１とすることを特徴とする請求項１５に記載のバックライト装置。
【請求項１７】
請求項１２〜１６のいずれか１項に記載のバックライト装置と、
前記バックライト装置により照明される液晶パネルと、
を備える画像表示装置。
【請求項１８】
同一の駆動周期で駆動され、点灯期間及び消灯期間がパルス幅変調制御される複数の光源を有するバックライト装置の制御方法であって、
各光源の前記駆動周期毎に、点灯期間と消灯期間のデューティ比を設定する工程を有し、
第１光源では、１つの点灯期間及び１つの消灯期間から成る１サイクル期間が前記駆動周期と同じになるようにし、
第２光源では、１つの点灯期間及び１つの消灯期間から成る１サイクル期間が前記駆動周期よりも長くなるようにすることを特徴とするバックライト装置の制御方法。
【手続補正２】
【補正対象書類名】明細書
【補正対象項目名】００１６
【補正方法】変更
【補正の内容】
【００１６】
本発明は、複数の光源と、前記複数の光源を同一の駆動周波数で駆動し、各光源の点灯期間及び消灯期間をパルス幅変調制御する制御手段と、を備え、前記制御手段は、光源毎及び駆動周期毎に、点灯期間と消灯期間のデューティ比を設定可能であり、前記制御手段は、少なくとも２つの光源の各々について、１つの点灯期間及び１つの消灯期間から成る１サイクル期間が駆動周期のＮ倍（Ｎは１以上の整数）の条件を満たすようにデューティ比を設定し、Ｎが２以上の場合には、１サイクル期間を構成するＮ個の駆動周期のうち少なくとも１つの周期においてデューティ比を０又は１とすることを特徴とするバックライト装置である。
また、本発明は、複数の光源と、前記複数の光源を同一の駆動周期で駆動し、各光源の点灯期間及び消灯期間をパルス幅変調制御する制御手段と、を備え、前記制御手段は、各光源の前記駆動周期毎に、点灯期間と消灯期間を設定可能であり、第１光源では、１つの点灯期間及び１つの消灯期間から成る１サイクル期間が前記駆動周期と同じになるようにし、第２光源では、１つの点灯期間及び１つの消灯期間から成る１サイクル期間が前記駆動周期よりも長くなるようにすることを特徴とするバックライト装置である。
【手続補正３】
【補正対象書類名】明細書
【補正対象項目名】００１７
【補正方法】変更
【補正の内容】
【００１７】
本発明は、同一の駆動周波数で駆動され、点灯期間及び消灯期間がパルス幅変調制御される複数の光源を有するバックライト装置の制御方法であって、少なくとも２つの光源の各々について、１つの点灯期間及び１つの消灯期間から成る１サイクル期間が駆動周期のＮ倍（Ｎは１以上の整数）の条件を満たすようにデューティ比を設定し、Ｎが２以上の場合には、１サイクル期間を構成するＮ個の駆動周期のうち少なくとも１つの周期においてデューティ比を０又は１とする工程と、光源毎及び駆動周期毎に前記決定されたデューティ比を設定する工程と、を有するバックライト装置の制御方法である。
また、本発明は、同一の駆動周期で駆動され、点灯期間及び消灯期間がパルス幅変調制御される複数の光源を有するバックライト装置の制御方法であって、各光源の前記駆動周期毎に、点灯期間と消灯期間のデューティ比を設定する工程を有し、第１光源では、１つの点灯期間及び１つの消灯期間から成る１サイクル期間が前記駆動周期と同じになるようにし、第２光源では、１つの点灯期間及び１つの消灯期間から成る１サイクル期間が前記駆動周期よりも長くなるようにすることを特徴とするバックライト装置の制御方法である。